(57)【特許請求の範囲】
【請求項１】
第1の送信装置と第１の通信線と第1の受信装置とを備えた通信ケーブルであって、上記通信ケーブルに接続される第２の送信装置から、上記第１の送信装置、第１の通信線、及び上記第１の受信装置を介して、上記通信ケーブルに接続される第２の受信装置に、所定の一方向でデータ信号を伝送する通信ケーブルにおいて、
上記第２の送信装置から上記第２の受信装置に第１の接続検出信号を伝送する第２の通信線と、
上記第１の接続検出信号に応答して上記第２の受信装置から出力される第２の接続検出信号を、上記第２の送信装置に伝送する第３の通信線と、
上記第３の通信線に挿入されたスイッチと、
上記通信ケーブルが、上記第２の送信装置から上記第１の送信装置、上記第１の通信線、及び上記第１の受信装置を介して上記第２の受信装置に上記一方向でデータ信号を伝送可能な状態で上記第２の送信装置と上記第２の受信装置との間に接続されている正常接続状態の場合、上記第２の接続検出信号に応答して上記スイッチをオンして上記第２の接続検出信号を上記第３の通信線を介して上記第２の送信装置に伝送する一方、上記通信ケーブルが、上記第２の送信装置の出力端子が上記第１の受信装置の出力端子に接続されかつ上記第２の受信装置の入力端子が上記第２の送信装置の入力端子に接続されるように、上記一方向とは逆の方向でデータ信号を伝送不可能な状態で上記第２の送信装置と上記第２の受信装置との間に接続されている逆接続状態の場合、上記第２の接続検出信号の未検出に応答して、上記スイッチをオフして上記第２の接続検出信号を上記第２の送信装置に上記第３の通信線を介して伝送しないように制御する制御回路とを備えたことを特徴とする通信ケーブル。
【請求項２】
上記第１の接続検出信号と上記第２の接続検出信号とを検出したとき上記正常接続状態を示す接続状態検出信号を出力する一方、上記第１の接続検出信号を検出しかつ上記第２の接続検出信号を検出しないときに上記逆接続状態を示す接続状態検出信号を出力するゲート回路と、
上記第２の送信装置の電圧検出回路と上記第２の受信装置の電圧検出回路との間に接続される第４の通信線と、
上記正常接続状態を表す接続状態検出信号に応答して、上記第２の受信装置から出力される第２の接続検出信号を上記第４の通信線に出力することにより上記第４の通信線を、上記正常接続状態を示す所定の第１の電圧レベルに設定する一方、上記逆接続状態を表す接続状態検出信号に応答して、上記第２の受信装置から出力される第２の接続検出信号を上記第４の通信線に出力しないことにより上記第４の通信線を、上記逆接続状態を示す所定の第２の電圧レベルに設定する出力回路とをさらに備えたことを特徴とする請求項１記載の通信ケーブル。
【請求項３】
上記正常接続状態を示す接続状態検出信号に応答して上記通信ケーブルの通信回路に電力を供給する一方、上記逆接続状態を示す接続状態検出信号に応答して上記通信ケーブルの通信回路に電力を供給することを禁止する第１の電源回路をさらに備えたことを特徴とする請求項２記載の通信ケーブル。
【請求項４】
上記逆接続状態を報知する報知手段をさらに備えたことを特徴とする請求項１から３までのうちのいずれか１つに記載の通信ケーブル。
【請求項５】
上記第４の通信線は、ＨＤＭＩ（High-Definition Multimedia Interface）規格に準拠した通信ケーブルのユティリティラインであることを特徴とする請求項１から４までのうちのいずれか１つに記載の通信ケーブル。
【請求項６】
第1の送信装置と第１の通信線と第1の受信装置とを備えた通信ケーブルであって、上記通信ケーブルに接続される第２の送信装置から、上記第１の送信装置、第１の通信線、及び上記第１の受信装置を介して、上記通信ケーブルに接続される第２の受信装置に、所定の一方向でデータ信号を伝送する通信ケーブルと、
上記第２の送信装置と、
上記第２の受信装置とを備えた通信システムのための第２の送信装置において、
上記通信ケーブルは、
上記第２の送信装置から上記第２の受信装置に第１の接続検出信号を伝送する第２の通信線と、
上記第１の接続検出信号に応答して上記第２の受信装置から出力される第２の接続検出信号を、上記第２の送信装置に伝送する第３の通信線と、
上記第２の送信装置の電圧検出回路と上記第２の受信装置の電圧検出回路との間に接続される第４の通信線と、
上記第３の通信線に挿入されたスイッチと、
上記通信ケーブルが、上記第２の送信装置から上記第１の送信装置、上記第１の通信線、及び上記第１の受信装置を介して上記第２の受信装置に上記一方向でデータ信号を伝送可能な状態で上記第２の送信装置と上記第２の受信装置との間に接続されている正常接続状態の場合、上記第２の接続検出信号に応答して上記スイッチをオンして上記第２の接続検出信号を上記第３の通信線を介して上記第２の送信装置に伝送する一方、上記通信ケーブルが、上記第２の送信装置の出力端子が上記第１の受信装置の出力端子に接続されかつ上記第２の受信装置の入力端子が上記第２の送信装置の入力端子に接続されるように、上記一方向とは逆の方向でデータ信号を伝送不可能な状態で上記第２の送信装置と上記第２の受信装置との間に接続されている逆接続状態の場合、上記第２の接続検出信号の未検出に応答して、上記スイッチをオフして上記第２の接続検出信号を上記第２の送信装置に上記第３の通信線を介して伝送しないように制御する制御回路と、
上記第１の接続検出信号と上記第２の接続検出信号とを検出したとき上記正常接続状態を示す接続状態検出信号を出力する一方、上記第１の接続検出信号を検出しかつ上記第２の接続検出信号を検出しないときに上記逆接続状態を示す接続状態検出信号を出力するゲート回路と、
上記正常接続状態を表す接続状態検出信号に応答して、上記第２の受信装置から出力される第２の接続検出信号を上記第４の通信線に出力することにより上記第４の通信線を、上記正常接続状態を示す所定の第１の電圧レベルに設定する一方、上記逆接続状態を表す接続状態検出信号に応答して、上記第２の受信装置から出力される第２の接続検出信号を上記第４の通信線に出力しないことにより上記第４の通信線を、上記逆接続状態を示す所定の第２の電圧レベルに設定する出力回路とを備え、
上記第２の送信装置は、上記第４の通信線の電圧レベルを検出し、上記検出された電圧レベルに基づいて上記正常接続状態又は上記逆接続状態を検出する電圧検出回路を備えたことを特徴とする第２の送信装置。
【請求項７】
上記逆接続状態を報知する第２の報知手段をさらに備えたことを特徴とする請求項６記載の第２の送信装置。
【請求項８】
上記通信ケーブルは電力供給ラインを含み、
上記第２の送信装置は、上記電力供給ラインを介して上記受信装置に電力を供給する第２の電源回路をさらに備えたことを特徴とする請求項６又は７記載の第２の送信装置。
【請求項９】
上記第２の送信装置は、上記正常接続状態を検出した後、上記第２の電源回路による上記受信装置への電力供給を開始することを特徴とする請求項８記載の第２の送信装置。
【請求項１０】
上記電力供給ラインは、ＨＤＭＩ規格に準拠した通信ケーブルのユティリティラインを含むことを特徴とする請求項８又は９記載の第２の送信装置。
【請求項１１】
第1の送信装置と第１の通信線と第1の受信装置とを備えた通信ケーブルであって、上記通信ケーブルに接続される第２の送信装置から、上記第１の送信装置、第１の通信線、及び上記第１の受信装置を介して、上記通信ケーブルに接続される第２の受信装置に、所定の一方向でデータ信号を伝送する通信ケーブルと、
上記第２の送信装置と、
上記第２の受信装置とを備えた通信システムのための第２の受信装置において、
上記通信ケーブルは、
上記第２の送信装置から上記第２の受信装置に第１の接続検出信号を伝送する第２の通信線と、
上記第１の接続検出信号に応答して上記第２の受信装置から出力される第２の接続検出信号を、上記第２の送信装置に伝送する第３の通信線と、
上記第２の送信装置の電圧検出回路と上記第２の受信装置の電圧検出回路との間に接続される第４の通信線と、
上記第３の通信線に挿入されたスイッチと、
上記通信ケーブルが、上記第２の送信装置から上記第１の送信装置、上記第１の通信線、及び上記第１の受信装置を介して上記第２の受信装置に上記一方向でデータ信号を伝送可能な状態で上記第２の送信装置と上記第２の受信装置との間に接続されている正常接続状態の場合、上記第２の接続検出信号に応答して上記スイッチをオンして上記第２の接続検出信号を上記第３の通信線を介して上記第２の送信装置に伝送する一方、上記通信ケーブルが、上記第２の送信装置の出力端子が上記第１の受信装置の出力端子に接続されかつ上記第２の受信装置の入力端子が上記第２の送信装置の入力端子に接続されるように、上記一方向とは逆の方向でデータ信号を伝送不可能な状態で上記第２の送信装置と上記第２の受信装置との間に接続されている逆接続状態の場合、上記第２の接続検出信号の未検出に応答して、上記スイッチをオフして上記第２の接続検出信号を上記第２の送信装置に上記第３の通信線を介して伝送しないように制御する制御回路と、
上記第１の接続検出信号と上記第２の接続検出信号とを検出したとき上記正常接続状態を示す接続状態検出信号を出力する一方、上記第１の接続検出信号を検出しかつ上記第２の接続検出信号を検出しないときに上記逆接続状態を示す接続状態検出信号を出力するゲート回路と、
上記正常接続状態を表す接続状態検出信号に応答して、上記第２の受信装置から出力される第２の接続検出信号を上記第４の通信線に出力することにより上記第４の通信線を、上記正常接続状態を示す所定の第１の電圧レベルに設定する一方、上記逆接続状態を表す接続状態検出信号に応答して、上記第２の受信装置から出力される第２の接続検出信号を上記第４の通信線に出力しないことにより上記第４の通信線を、上記逆接続状態を示す所定の第２の電圧レベルに設定する出力回路とを備え、
上記第２の受信装置は、上記第４の通信線の電圧レベルを検出し、上記検出された電圧レベルに基づいて上記正常接続状態又は上記逆接続状態を検出する電圧検出回路を備えたことを特徴とする第２の受信装置。
【請求項１２】
上記逆接続状態を報知する第３の報知手段をさらに備えたことを特徴とする請求項１１記載の第２の受信装置。
【請求項１３】
上記通信ケーブルは電力供給ラインを含み、
上記第２の受信装置は、上記電力供給ラインを介して上記第２の送信装置に電力を供給する第３の電源回路をさらに備えたことを特徴とする請求項１１又は１２記載の第２の受信装置。
【請求項１４】
上記第２の受信装置は、上記正常接続状態を検出した後、上記第３の電源回路による上記第２の送信装置への電力供給を開始することを特徴とする請求項１３記載の第２の受信装置。
【請求項１５】
上記電力供給ラインは、ＨＤＭＩ規格に準拠した通信ケーブルのユティリティラインを含むことを特徴とする請求項１３又は１４記載の第２の受信装置。
【請求項１６】
上記データ信号と上記第１の接続検出信号とを出力する第２の送信装置と、
上記第１の接続検出信号に応答して上記第２の接続検出信号を出力する第２の受信装置と、
請求項１から５までのうちのいずれか１つに記載の通信ケーブルとを備えたことを特徴とする通信システム。
【請求項１７】
請求項８又は９記載の第２の送信装置と、
請求項１１又は１２記載の第２の受信装置と、
請求項２から５までのうちのいずれか１つに記載の通信ケーブルとを備えたことを特徴とする通信システム。
【請求項１８】
請求項６又は７記載の第２の送信装置と、
請求項１３又は１４記載の第２の受信装置と、
請求項２から５までのうちのいずれか１つに記載の通信ケーブルとを備えたことを特徴とする通信システム。
【請求項１９】
上記第４の通信線はＨＤＭＩ規格に準拠した通信ケーブルのユティリティラインであることを特徴とする請求項１７又は１８記載の通信システム。
【請求項２０】
上記電力供給ラインは、上記ユティリティラインを含むことを特徴とする請求項１９記載の通信システム。
【発明の詳細な説明】
【技術分野】
【０００１】
本発明は、通信ケーブル、送信装置、受信装置及び通信システムに関する。特に、本発明は、送信装置から受信装置に所定の一方向でデータ信号を伝送する通信ケーブルと、当該通信ケーブルに接続される送信装置及び受信装置と、送信装置、通信ケーブル及び受信装置を備えた通信システムとに関する。
【背景技術】
【０００２】
ＨＤＭＩ（High-Definition Multimedia Interface）規格などのデータ信号を高速に伝送するためのインターフェースに準拠した送信装置と受信装置とを有線接続する場合、装置間の距離が例えば１０ｍ以下の短距離であるときは、受動素子のみを備えた通信ケーブルを用いることができる。しかしながら、装置間の距離が１０ｍより長くなると、受信装置で受信される信号の信号対雑音比を上げるために、増幅素子などのアクティブ素子を内蔵したアクティブケーブル、又は電気信号を光信号に変換して伝送した後に光信号を電気信号に変換して出力する光アクティブケーブルなどのアクティブケーブルが用いられる。受動素子のみで構成された通信ケーブルの場合、信号の伝送方向に制約がないため、通信ケーブルの両端のコネクタの接続先を送信装置と受信装置との間で区別する必要がない。一方、アクティブケーブルは１つの伝送方向のみに信号を伝送可能であるので、送信装置に接続されるコネクタと、受信装置に接続されるコネクタとを明確に区別する必要がある。【０００３】
例えば、ＨＤＭＩ規格に準拠したソース機器とシンク機器とを光アクティブケーブルを用いて接続する場合、光アクティブケーブルは、光ファイバと、ソース機器からの映像音声信号を光信号に変換して光ファイバに出力するための光送信回路を備えたソース機器用コネクタと、光ファイバからの光信号を映像音声信号に変換してシンク機器に出力する光受信回路を備えたシンク機器用コネクタとを備える。従って、ソース機器とシンク機器との間にＨＤＭＩ光アクティブケーブルを逆接続すると、ソース機器からの映像音声信号はＨＤＭＩ光アクティブケーブルの光受信回路に出力されてしまい、ＨＤＭＩ光アクティブケーブルは正常に動作しない。このため、従来技術に係るＨＤＭＩ光アクティブケーブルは、ソース機器用コネクタとシンク機器用コネクタとを視覚的に区別できるように構成されていた。
【先行技術文献】
【特許文献】
【０００４】
【特許文献１】国際公開第２００８／０５６７１９号公報
【発明の概要】
【発明が解決しようとする課題】
【０００５】
一般に、光アクティブケーブルにおいて、映像音声信号以外のＨＤＭＩ規格に準拠したＨＰＤ（Hot Plug Detect）信号などの制御信号は、銅線などの電線を介して伝送される。このため、逆接続の場合でも制御信号は正しく伝送され、ソース機器及びシンク機器は、ＨＤＭＩ光アクティブケーブルが正しく接続されたときの動作と同様の動作をし、ソース機器はシンク機器用コネクタの光受信回路に映像音声信号を出力してしまう。この結果、ＨＤＭＩ光アクティブケーブルが故障することがあった。【０００６】
本発明の目的は以上の問題点を解決し、送信装置から受信装置に所定の一方向でデータ信号を伝送する通信ケーブルが、送信装置と受信装置との間に逆接続されても、当該通信ケーブルの故障を防止できる通信ケーブルと、送信装置と、受信装置と、通信システムとを提供することにある。
【課題を解決するための手段】
【０００７】
本発明の第１の態様に係る通信ケーブルは、
送信装置から受信装置に所定の一方向で第１の通信線を介してデータ信号を伝送する通信ケーブルにおいて、
上記送信装置から上記受信装置に第１の接続検出信号を伝送する第２の通信線と、
上記第１の接続検出信号に応答して上記受信装置から出力される第２の接続検出信号を、上記送信装置に伝送する第３の通信線と、
上記第３の通信線に挿入されたスイッチと、
上記通信ケーブルが上記送信装置から上記受信装置に上記一方向でデータ信号を伝送可能に上記送信装置と上記受信装置との間に接続されている正常接続状態の場合、上記第２の接続検出信号に応答して上記スイッチをオンする一方、上記通信ケーブルが上記一方向とは逆の方向で上記送信装置と上記受信装置との間に接続されている逆接続状態の場合、上記スイッチをオフする制御回路とを備えたことを特徴とする。
【０００８】
本発明の第２の態様に係る送信装置は、送信装置と、受信装置と、通信ケーブルとを備えた通信システムのための送信装置において、
上記通信ケーブルは、
上記送信装置から上記受信装置に、データ信号を所定の一方向で伝送する第１の通信線と、
上記送信装置から上記受信装置に第１の接続検出信号を伝送する第２の通信線と、
上記第１の接続検出信号に応答して上記受信装置から出力される第２の接続検出信号を、上記送信装置に伝送する第３の通信線と、
上記送信装置と上記受信装置とに間に接続される第４の通信線と、
上記第３の通信線に挿入されたスイッチと、
上記通信ケーブルが上記送信装置から上記受信装置に上記一方向でデータ信号を伝送可能に上記送信装置と上記受信装置との間に接続されている正常接続状態の場合、上記第２の接続検出信号に応答して上記スイッチをオンする一方、上記通信ケーブルが上記一方向とは逆の方向で上記送信装置と上記受信装置との間に接続されている逆接続状態の場合、上記スイッチをオフする制御回路と、
上記第１の接続検出信号と上記第２の接続検出信号とを検出したとき上記正常接続状態を示す接続状態検出信号を出力する一方、上記第１の接続検出信号を検出しかつ上記第２の接続検出信号を検出しないときに上記逆接続状態を示す接続状態検出信号を出力するゲート回路と、
上記正常接続状態を表す接続状態検出信号に応答して所定の第１の電圧レベルを上記第４の通信線に出力する一方、上記逆接続状態を表す接続状態検出信号に応答して所定の第２の電圧レベルを上記第４の通信線に出力する出力回路とを備え、
上記送信装置は、上記第４の通信線の電圧レベルを検出し、上記検出された電圧レベルに基づいて上記正常接続状態又は上記逆接続状態を検出することを特徴とする。【０００９】
本発明の第３の態様に係る受信装置は、送信装置と、受信装置と、通信ケーブルとを備えた通信システムのための受信装置において、
上記通信ケーブルは、
上記送信装置から上記受信装置に、データ信号を所定の一方向で伝送する第１の通信線と、
上記送信装置から上記受信装置に第１の接続検出信号を伝送する第２の通信線と、
上記第１の接続検出信号に応答して上記受信装置から出力される第２の接続検出信号を、上記送信装置に伝送する第３の通信線と、
上記送信装置と上記受信装置とに間に接続される第４の通信線と、
上記第３の通信線に挿入されたスイッチと、
上記通信ケーブルが上記送信装置から上記受信装置に上記一方向でデータ信号を伝送可能に上記送信装置と上記受信装置との間に接続されている正常接続状態の場合、上記第２の接続検出信号に応答して上記スイッチをオンする一方、上記通信ケーブルが上記一方向とは逆の方向で上記送信装置と上記受信装置との間に接続されている逆接続状態の場合、上記スイッチをオフする制御回路と、
上記第１の接続検出信号と上記第２の接続検出信号とを検出したとき上記正常接続状態を示す接続状態検出信号を出力する一方、上記第１の接続検出信号を検出しかつ上記第２の接続検出信号を検出しないときに上記逆接続状態を示す接続状態検出信号を出力するゲート回路と、
上記正常接続状態を表す接続状態検出信号に応答して所定の第１の電圧レベルを上記第４の通信線に出力する一方、上記逆接続状態を表す接続状態検出信号に応答して所定の第２の電圧レベルを上記第４の通信線に出力する出力回路とを備え、
上記受信装置は、上記第４の通信線の電圧レベルを検出し、上記検出された電圧レベルに基づいて上記正常接続状態又は上記逆接続状態を検出することを特徴とする。
【発明の効果】
【００１０】
本発明の第１の態様に係る通信ケーブルによれば、第３の通信線に挿入されたスイッチと、通信ケーブルが送信装置から受信装置に一方向でデータ信号を伝送可能に送信装置と受信装置との間に接続されている正常接続状態の場合、第２の接続検出信号に応答してスイッチをオンする一方、通信ケーブルが一方向とは逆の方向で送信装置と受信装置との間に接続されている逆接続状態の場合、スイッチをオフする制御回路とを備えたので、逆接続状態において通信ケーブルの故障を防止できる。
【００１１】
また、本発明の第２の態様に係る送信装置、本発明の第３の態様に係る受信装置及び上述した通信ケーブルと、送信装置と、受信装置とを備えた通信システムによれば、第４の通信線の電圧レベルを検出し、検出された電圧レベルに基づいて正常接続状態又は逆接続状態を検出するので、逆接続状態において通信ケーブルの故障を防止できる。
【図面の簡単な説明】
【００１２】
【図１】本発明の第１の実施形態に係る通信システムの構成を示すブロック図であって、ソース機器１００とシンク機器２００との間にＨＤＭＩ光アクティブケーブル３００が正しく接続されたときのブロック図である。
【図２】図１の通信システムであって、ソース機器１００とシンク機器２００との間にＨＤＭＩ光アクティブケーブル３００が逆接続されたときのブロック図である。
【図３Ａ】図１のソース機器１００による接続状態検出動作の第１の部分を示すフローチャートである。
【図３Ｂ】図１のソース機器１００による接続状態検出動作の第２の部分を示すフローチャートである。
【図４Ａ】図１のシンク機器２００による接続状態検出動作の第１の部分を示すフローチャートである。
【図４Ｂ】図１のシンク機器２００による接続状態検出動作の第２の部分を示すフローチャートである。
【図５】図１のＨＤＭＩ光アクティブケーブル３００の接続状態検出動作を示すフローチャートである。
【図６】本発明の第２の実施形態に係る通信システムの構成を示すブロック図であって、ソース機器１００とシンク機器２００との間にＨＤＭＩ光アクティブケーブル３００Ａが逆接続されたときのブロック図である。
【図７】本発明の第３の実施形態に係る通信システムの構成を示すブロック図であって、ソース機器１００とシンク機器２００との間にＨＤＭＩ光アクティブケーブル３００Ｂが逆接続されたときのブロック図である。
【図８】本発明の第４の実施形態に係る通信システムの構成を示すブロック図であって、ソース機器１００Ａとシンク機器２００Ａとの間にＨＤＭＩ光アクティブケーブル３００が正しく接続されたときのブロック図である。
【図９Ａ】図８のソース機器１００Ａによる接続状態検出動作の第１の部分を示すフローチャートである。
【図９Ｂ】図８のソース機器１００Ａによる接続状態検出動作の第２の部分を示すフローチャートである。
【図１０Ａ】図８のシンク機器２００Ａによる接続状態検出動作の第１の部分を示すフローチャートである。
【図１０Ｂ】図８のシンク機器２００Ａによる接続状態検出動作の第２の部分を示すフローチャートである。
【発明を実施するための形態】
【００１３】
以下、本発明に係る実施形態について図面を参照して説明する。なお、以下の各実施形態において、同様の構成要素については同一の符号を付している。
【００１４】
第１の実施形態．
図１は、本発明の第１の実施形態に係る通信システムの構成を示すブロック図であって、ソース機器１００とシンク機器２００との間にＨＤＭＩ光アクティブケーブル３００が正しく接続されたときのブロック図であり、図２は、図１の通信システムであって、ソース機器１００とシンク機器２００との間にＨＤＭＩ光アクティブケーブル３００が逆接続されたときのブロック図である。図１において、本実施形態に係る通信システムは、送信装置であるソース機器１００と、受信装置であるシンク機器２００と、ソース機器１００とシンク機器２００とを接続するための通信ケーブルであるＨＤＭＩ光アクティブケーブル３００とを備えて構成される。
【００１５】
図１において、ソース機器１００は例えば携帯電話機であって、コントローラ１０と、ＴＭＤＳ（Transition Minimized Differential Signaling）信号送信回路１１と、ＣＥＣ（Consumer Electronics Control）送受信回路１２と、充電回路１３と、二次電池１４と、電圧検出回路１５と、表示制御回路１６と、表示部１７と、＋５Ｖ電力信号出力回路１８と、ＨＰＤ（Hot Plug Detect）信号検出回路１９とを備えて構成される。また、シンク機器２００は例えばテレビジョン放送受信装置であって、コントローラ２０と、ＴＭＤＳ信号受信回路２１と、ＣＥＣ送受信回路２２と、電圧検出回路２５と、表示制御回路２６と、表示部２７と、抵抗２８と、電源回路２９とを備えて構成される。
【００１６】
また、図１において、ＨＤＭＩ光アクティブケーブル３００は、ソース機器用コネクタ３０１と、シンク機器用コネクタ３０２と、第１の通信線である光ファイバ３１と、電力供給ライン３２と、ＣＥＣライン３３と、第２の通信線である＋５Ｖライン３５と、第３の通信線であるＨＰＤライン３６と、第４の通信線であるユティリティライン３４とを備えて構成される。ここで、ソース機器用コネクタ３０１は光送信回路３７を備え、シンク機器用コネクタ３０２は、光受信回路３８と、電源回路３９と、アンドゲート４０と、発光ダイオード４１と、抵抗４２と、スイッチＳＷ１及びＳＷ２とを備えて構成される。
【００１７】
なお、電力供給ライン３２と、ＣＥＣライン３３と、ユティリティライン３４と、＋５Ｖライン３５と、ＨＰＤライン３６とは、それぞれ銅線などの電線で構成される。また、ＣＥＣライン３３と、ユティリティライン３４と、＋５Ｖライン３５と、ＨＰＤライン３６とは、それぞれＨＤＭＩ規格に準拠した通信ケーブルのＣＥＣラインと、ユティリティラインと、＋５Ｖラインと、ＨＰＤラインである。
【００１８】
ここで、詳細後述するように、ソース機器１００は、データ信号であるＴＭＤＳ信号Ｓ１１及び第１の接続検出信号である＋５Ｖ電力信号Ｓ１８を出力し、シンク機器２００は、＋５Ｖ電力信号Ｓ１８に応答して第２の接続検出信号であるＨＰＤ信号Ｓ２８を出力する。以下、ソース機器用コネクタ３０１がソース機器１００に接続されかつシンク機器用コネクタ３０２がシンク機器２００に接続されており、ソース機器１００からシンク機器２００に光ファイバ３１を介して一方向でＴＭＤＳ信号Ｓ１１を伝送する状態を正常接続状態といい、ソース機器用コネクタ３０１がシンク機器２００に接続されかつシンク機器用コネクタ３０２がソース機器１００に接続されている状態を逆接続状態という。
【００１９】
図１のソース機器１００において、コントローラ１０は、ＴＭＤＳ信号送信回路１１と、ＣＥＣ送受信回路１２と、充電回路１３と、表示制御回路１６と、＋５Ｖ電力信号出力回路１８とを制御する。ＴＭＤＳ信号送信回路１１は、コントローラ１０の制御の下で、ＨＤＭＩ規格に準拠した映像音声信号であるＴＭＤＳ信号Ｓ１１を発生して光送信回路３７に出力する。また、ＣＥＣ送受信回路１２は、コントローラ１０の制御の下で、ＣＥＣに準拠した制御信号を、ＣＥＣライン３３を介してシンク機器２００との間で送受信するとともに、詳細後述する電力供給依頼信号Ｓ１２を発生してＣＥＣライン３３に出力する。充電回路１３は、コントローラ１０の制御の下で、例えばリチウムイオン二次電池である二次電池１４を、ユティリティライン３４及びＨＰＤライン３６を介して供給される電力により、充電する。
【００２０】
電圧検出回路１５は、ユティリティライン３４の電圧レベルを検出し、ユティリティライン３４の電圧レベルが０Ｖより高くかつ５Ｖ以下の所定のしきい値（例えば、２．５Ｖ）以上であるときは、逆接続状態を示すハイレベルの電圧検出信号Ｓ１５を発生して表示制御回路１６及びコントローラ１０に出力する。また、電圧検出回路１５は、ユティリティライン３４の電圧レベルが上述した所定のしきい値未満であるときは、正常接続状態を示すローレベルの電圧検出信号Ｓ１５を発生して、表示制御回路１６及びコントローラ１０に出力する。表示制御回路１６は、逆接続状態を示す電圧検出信号Ｓ１５に応答して、逆接続状態を示す情報を、例えば液晶ディスプレイ装置である表示部１７に出力して表示する。また、表示制御回路１６は、正常接続状態を示す電圧検出信号Ｓ１５と、ソース機器１００がＨＰＤ信号Ｓ２８を検出したことを示すＨＰＤ信号検出信号Ｓ１９（詳細後述する。）とに応答して、正常接続状態を示す情報を表示部１７に出力して表示する。
【００２１】
さらに、＋５Ｖ電力信号出力回路１８は、＋５Ｖライン３５に接続されると、＋５Ｖライン３５の電圧レベルを０Ｖから５Ｖに変化させることにより、ＨＤＭＩ規格に準拠した＋５Ｖ電力信号（+5V Power Signal）Ｓ１８を発生して＋５Ｖライン３５に出力する。また、ＨＰＤ信号検出回路１９は、ＨＰＤライン３６の電圧レベルを検出し、ＨＰＤライン３６の電圧レベルが０Ｖより高くかつ５Ｖ以下の所定のしきい値（例えば、２．５Ｖ）以上であるときはシンク機器２００からのＨＰＤ信号Ｓ２８を検出していることを示すＨＰＤ信号検出信号Ｓ１９をコントローラ１０及び表示制御回路１６に出力する。一方、ＨＰＤ信号検出回路１９は、ＨＰＤライン３６の電圧レベルが上述した所定のしきい値未満であるときはＨＰＤ信号Ｓ２８を検出していないことを示すＨＰＤ信号検出信号Ｓ１９をコントローラ１０に出力する。
【００２２】
図１のＨＤＭＩ光アクティブケーブル３００において、光送信回路３７及び光受信回路３８は、通信回路である。光送信回路３７は、ＴＭＤＳ信号Ｓ１１を光信号に変換し、光ファイバ３１を介して光受信回路３８に出力する。光受信回路３８は、光送信回路３７からの光信号を、ＴＭＤＳ信号Ｓ１１と同一のＴＭＤＳ信号Ｓ３８に変換してＴＭＤＳ信号受信回路２１に出力する。
【００２３】
また、ＨＰＤライン３６は、ソース機器用コネクタ３０１側の一端を含む第１の部分３６ｔと、シンク機器用コネクタ３０２側の他端を含む第２の部分３６ｒとに分割されている。スイッチＳＷ１は第１の部分３６ｔと第２の部分３６ｒとの間に挿入接続される。ここで、スイッチＳＷ１は、第２の部分３６ｒの電圧レベルが０Ｖより高くかつ５Ｖ以下の所定のしきい値（例えば、２．５Ｖ）以上であるときはオンされて第１の部分３６ｔを第２の部分３６ｒに接続する。一方、第２の部分３６ｒの電圧レベルが上記所定のしきい値未満であるときは、スイッチＳＷ１はオフされて、第１の部分３６ｔと第２の部分３６ｒとの間の接続を遮断する。なお、ＨＰＤライン３６の第２の部分の電圧レベルをスイッチＳＷ１に出力するための回路は、上述したようにスイッチＳＷ１をオンオフする制御回路として動作する。また、スイッチＳＷ１は、ＨＤＭＩ光アクティブケーブル３００にソース機器１００及びシンク機器２００が接続されていない初期状態において、オフされている。
【００２４】
また、ゲート回路であるアンドゲート４０の非反転入力端子は＋５Ｖライン３５に接続され、アンドゲート４０の反転入力端子はＨＰＤライン３６の第２の部分３６ｒに接続される。アンドゲート４０は、＋５Ｖライン３５の電圧レベルが０Ｖより高くかつ５Ｖ以下の所定のしきい値（例えば、２．５Ｖ）以上でありかつ第２の部分３６ｒの電圧レベルが上述した所定のしきい値未満であるとき、正常接続状態を示すローレベルの接続状態検出信号Ｓ４０を発生する。また、アンドゲート４０は、＋５Ｖライン３５の電圧レベルが上述した所定のしきい値未満でありかつ第２の部分３６ｒの電圧レベルが上述した所定のしきい値以上であるとき、逆接続状態を示すハイレベルの接続状態検出信号Ｓ４０を発生する。すなわち、アンドゲート４０は、＋５Ｖライン３５に＋５Ｖ電力信号Ｓ１８が出力され、かつ、第２の部分３６ｒにＨＰＤ信号Ｓ２８が出力されているとき、正常接続状態を示す接続状態検出信号Ｓ４０を出力する一方、＋５Ｖライン３５に＋５Ｖ電力信号Ｓ１８が出力され、かつ、第２の部分３６ｒにＨＰＤ信号Ｓ２８が出力されていないとき、逆接続状態を示す接続状態検出信号Ｓ４０を出力する。
【００２５】
接続状態検出信号Ｓ４０は、ユティリティライン３４とＨＰＤライン３６の第１の部分３６ｔとの間に接続されたスイッチＳＷ２と、電源回路３９とに出力される。スイッチＳＷ２は、逆接続状態を示すハイレベルの接続状態検出信号Ｓ４０に応答してオンされる一方、正常接続状態を示すローレベルの接続状態検出信号Ｓ４０に応答してオフされる。スイッチＳＷ２と、ＨＰＤライン３６の第１の部分３６ｔとは、接続状態検出信号Ｓ４０に応答して、ユティリティライン３４の電圧レベルを、正常接続状態を表す第１の電圧レベル（０Ｖである。）又は逆接続状態を示す第２の電圧レベル（５Ｖである。）に変化させる出力回路を構成する。なお、初期状態においてスイッチＳＷ２はオフされている。
【００２６】
電源回路３９は、正常接続状態を示すローレベルの接続状態検出信号Ｓ４０に応答して、商用電源に接続されかつ図１の通信システムの外部に設けられたアダプタ装置からの直流電力を、例えば３．３Ｖの所定の直流電力に変換して、光受信回路３８に供給するとともに、電力供給ライン３２を介して光送信回路３７に供給する。また、電源回路３９は、逆接続状態を示すハイレベルの接続状態検出信号Ｓ４０に応答して、３．３Ｖの所定の直流電力を光送信回路３７及び光受信回路３８に供給することを禁止する。
【００２７】
さらに、発光ダイオード４１は、ＨＰＤライン３６の第１の部分３６ｔに接続されたアノードと、抵抗４２を介して第２の部分３６ｒに接続されたカソードとを有する。発光ダイオード４１は、第１の部分３６ｔの電圧レベルが第２の部分３６ｒの電圧レベルより高いときに発光し、逆接続状態を報知する。
【００２８】
図１のシンク機器２００において、コントローラ２０は、ＣＥＣ送受信回路２２と、表示制御回路２６とを制御する。ＴＭＤＳ信号受信回路２１は、光受信回路３８からのＴＭＤＳ信号Ｓ３８をコントローラ２０に出力する。ＣＥＣ送受信回路２２は、コントローラ２０の制御の下で、ＣＥＣに準拠した制御信号を、ＣＥＣライン３３を介してソース機器１００との間で送受信するとともに、ソース機器１００からＣＥＣライン３３を介して詳細後述する電力供給依頼信号Ｓ１２を受信すると、電力供給開始信号Ｓ２２を発生して電源回路２９に出力する。
【００２９】
電圧検出回路２５は、ユティリティライン３４の電圧レベルを検出し、ユティリティライン３４の電圧レベルが０Ｖより高くかつ５Ｖ以下の所定のしきい値（例えば、２．５Ｖ）以上であるときは、逆接続状態を示すハイレベルの電圧検出信号Ｓ２５を発生して、コントローラ２０と、表示制御回路２６と、電源回路２９とに出力する。また、電圧検出回路２５は、ユティリティライン３４の電圧レベルが上述した所定のしきい値未満であるときは、正常接続状態を示すローレベルの電圧検出信号Ｓ２５を発生して、コントローラ２０と、表示制御回路２６と、電源回路２９とに出力する。
【００３０】
表示制御回路２６は、逆接続状態を示す電圧検出信号Ｓ２５に応答して、逆接続状態を示す情報を、例えば液晶ディスプレイ装置である表示部２７に出力して表示する一方、正常接続状態を示す電圧検出信号Ｓ２５に応答して、正常接続状態を示す情報を表示部２７に出力して表示する。電源回路２９は、ローレベルの電圧検出信号Ｓ２５に基づいて正常接続状態であることを検出した後、電力供給開始信号Ｓ２２に応答して、ユティリティライン３４及びＨＰＤライン３６を介して、ソース機器１００の充電回路１３への５Ｖの直流電力の供給を開始する。このとき、ユティリティライン３４の電圧は５Ｖに設定される。
【００３１】
また、図１において、抵抗２８は例えば１ｋΩの抵抗値を有する。抵抗２８は、＋５Ｖライン３５に接続される一端を有する。また、抵抗２８の他端は、正常接続状態においてＨＰＤライン３６の第２の部分３６ｒに接続される一方、逆接続状態においてＨＰＤライン３６の第１の部分３６ｔに接続される。抵抗２８は、＋５Ｖ電力信号Ｓ１８に応答して、抵抗２８の他端から、ＨＤＭＩ規格に準拠したＨＰＤ信号Ｓ２８を出力する。なお、＋５Ｖライン３５に＋５Ｖ電力信号Ｓ１８が出力されているとき、ＨＰＤ信号Ｓ２８の電圧レベルは実質的に５Ｖになる。
【００３２】
図３Ａ及び図３Ｂは、図１のソース機器１００による接続状態検出動作を示すフローチャートである。図３ＡのステップＳ１０１において、コントローラ１０は、＋５Ｖ電力信号出力回路１８を、＋５Ｖ電力信号Ｓ１８を＋５Ｖライン３５に出力するように制御する。これに応答して、＋５Ｖ電力信号出力回路１８は、＋５Ｖ電力信号Ｓ１８を＋５Ｖライン３５に出力する。次に、ステップＳ１０２において、表示制御回路１６は、電圧検出信号Ｓ１５の電圧レベルがハイレベルであるか否かを判断する。ステップＳ１０２においてＹＥＳのときは逆接続状態であり、ステップＳ１０３において、表示制御回路１６が、ＨＤＭＩ光アクティブケーブル３００が逆接続されていることを示す情報を表示部１７に出力して表示する。さらに、ステップＳ１１１において、コントローラ１０は、ハイレベルの電圧検出信号Ｓ１５に応答して、ＴＭＤＳ信号送信回路１１を、ＴＭＤＳ信号Ｓ１１をＨＤＭＩ光アクティブケーブル３００に出力することを禁止するように制御し、ステップＳ１０２に戻る。
【００３３】
ステップＳ１０２においてＮＯのときは正常接続状態であり、図３ＢのステップＳ１０４において、表示制御回路１６は、ＨＰＤ信号検出信号Ｓ１９に基づいて、ＨＰＤ信号Ｓ２８が検出されているか否を判断し、ＮＯのときはステップＳ１０４の処理を繰り返して実行する。一方、ステップＳ１０４においてＹＥＳのとき、ステップＳ１０５において、表示制御回路１６は、ＨＤＭＩ光アクティブケーブル３００が正常接続されていることを示す情報を、表示部１７に出力して表示する。さらに、ステップＳ１０６において、コントローラ１０は、正常接続状態を示す電圧検出信号Ｓ１５と、ＨＰＤ信号Ｓ２８が検出されたことを示すＨＰＤ信号検出信号Ｓ１９とに応答して、ＣＥＣ送受信回路１２を、シンク機器２００に対して電力供給を依頼するための電力供給依頼信号Ｓ１２をＣＥＣライン３３に出力するように制御する。
【００３４】
ステップＳ１０６に続いて、ステップＳ１０７において、コントローラ１０は、電圧検出信号Ｓ１５の電圧レベルがハイレベルであるか否かを判断することにより、ユティリティライン３４の電圧レベルが２．５Ｖ以上であるか否かを判断する。そして、ステップＳ１０６においてＹＥＳのときは、ステップＳ１０８において、コントローラ１０は、充電回路１３を、二次電池１４を充電するように制御してステップＳ１０９に進む。これに応答して、充電回路１３は、ユティリティライン３４及びＨＰＤライン３６からの５Ｖの直流電力により二次電池１４を充電する。なお、二次電池１４の充電時はユティリティライン３４の電圧レベルが２．５Ｖ以上になるため、逆接続状態を示すハイレベルの電圧検出信号Ｓ１５が発生される。このため、コントローラ１０は、電力供給依頼信号Ｓ１２が出力された後は、表示制御回路１６を、電圧検出信号Ｓ１５に基づく接続状態の表示を禁止するように制御する。
【００３５】
一方、ステップＳ１０７においてＮＯのときは、シンク機器２００又はＨＤＭＩ光アクティブケーブル３００において、ソース機器１００に対する電力供給機能が正常に動作していないと考えられ、ステップＳ１０８の処理を実行することなくステップＳ１０９に進む。ステップＳ１０９において、コントローラ１０は、ＴＭＤＳ信号送信回路１１を、ＴＭＤＳ信号Ｓ１１を光送信回路３７に出力するように制御して、ステップＳ１１０に進む。なお、ステップＳ１０９におけるＴＭＤＳ信号Ｓ１１の出力処理は、従来技術に係るＨＤＭＩ規格に準拠した出力処理である。ステップＳ１０９に続いて、ステップＳ１１０において、コントローラ１０は、ソース機器１００がリセットされたか否かを判断し、ＹＥＳのときは図３ＡのステップＳ１０１に戻る一方、ＮＯのときはステップＳ１１０の処理を繰り返して実行する。
【００３６】
図４Ａ及び図４Ｂは、図１のシンク機器２００による接続状態検出動作を示すフローチャートである。図４ＡのステップＳ１３１において、＋５Ｖ電力信号Ｓ１８が出力されて＋５Ｖライン３５の電圧レベルが５Ｖになると、ステップＳ１３２において、ＨＰＤ信号Ｓ２８は、抵抗Ｓ２８からＨＰＤライン３６の第１の部分３６ｔ又は第２の部分３６ｒに出力される。そして、ステップＳ１３３において、表示制御回路２６は、電圧検出信号Ｓ２５の電圧レベルがハイレベルであるか否かを判断する。ステップＳ１３３においてＹＥＳのときは逆接続状態であり、ステップＳ１３４において、表示制御回路２６は、ＨＤＭＩ光アクティブケーブル３００が逆接続されていることを示す情報を表示部２７に表示し、ステップＳ１３１に戻る。
【００３７】
ステップＳ１３３においてＮＯのときは正常接続状態であり、図４ＢのステップＳ１３５において、表示制御回路２６は、ＨＤＭＩ光アクティブケーブル３００が正常接続されていることを示す情報を、表示部２７に表示する。次にステップＳ１３６において、コントローラ２０は、ローレベルの電圧検出信号Ｓ２５に応答して、ＣＥＣ送受信回路２２を、電力供給依頼信号Ｓ１２の受信待機状態にする。この時点において、電源回路２９は、ソース機器１００への電力供給を開始していない。次に、ステップＳ１３７において、ＣＥＣ送受信回路２２は、ＣＥＣライン３３を介して電力供給依頼信号Ｓ１２を受信したか否かを判断し、ＹＥＳのときはステップＳ１３８に進む一方、ＮＯのときはステップＳ１４０に進む。ステップＳ１３８において、ＣＥＣ送受信回路２２は、電力供給開始信号Ｓ２２を電源回路２９に出力する。
【００３８】
さらに、ステップＳ１３９において、電源回路２９は、ローレベルの電圧検出信号Ｓ２５に基づいて正常接続状態であることを検出した後、電力供給開始信号Ｓ２２に応答して、ユティリティライン３４及びＨＰＤライン３６を介して、ソース機器１００の充電回路１３に５Ｖの直流電力を供給し、ステップＳ１４０に進む。なお、ステップＳ１３９において、ユティリティライン３４の電圧レベルが２．５Ｖ以上になるため、逆接続状態を示すハイレベルの電圧検出信号Ｓ２５が発生される。このため、コントローラ２０は、電力供給依頼信号Ｓ１２を受信した後は、表示制御回路２６を、電圧検出信号Ｓ２５に基づく接続状態の表示を禁止するように制御する。
【００３９】
ステップＳ１４０において、ＴＭＤＳ信号受信回路２１は、光受信回路３８からＴＭＤＳ信号Ｓ３８を受信し、コントローラ２０に出力する。なお、ステップＳ１４０におけるＴＭＤＳ信号Ｓ３８の受信処理は、従来技術に係るＨＤＭＩ規格に準拠した受信処理である。次に、ステップＳ１４１において、コントローラ２０は、シンク機器２００がリセットされたか否かを判断し、ＹＥＳのときは図４ＡのステップＳ１３１に戻る一方、ＮＯのときはステップＳ１４１の処理を繰り返して実行する。
【００４０】
図５は、図１のＨＤＭＩ光アクティブケーブル３００の接続状態検出動作を示すフローチャートである。始めに、ステップＳ１５１の初期状態において、スイッチＳＷ１及びＳＷ２はオフされており、＋５Ｖライン３５の電圧レベルが２．５Ｖ未満である間（ステップＳ１５２においてＮＯの場合。）は、スイッチＳＷ１及びＳＷ２はオフされている。次に、＋５Ｖライン３５の電圧レベルが２．５Ｖ以上になり（ステップＳ１５２においてＹＥＳの場合。）、かつＨＰＤライン３６の第２の部分３６ｒの電圧レベルが２．５Ｖ以上になる（ステップＳ１５３でＹＥＳの場合。）と、スイッチＳＷ１はオンされる（ステップＳ１５４）。さらに、ローレベルの接続状態検出信号Ｓ４０が発生され（ステップＳ１５５）、これに応答してスイッチＳＷ２はオフされたままになり、ユティリティライン３４の電圧レベルは０Ｖになり（ステップＳ１５６）、逆接続検出動作は終了する。
【００４１】
また、図５において、＋５Ｖライン３５の電圧レベルが２．５Ｖ以上になり（ステップＳ１５２においてＹＥＳの場合。）、かつＨＰＤライン３６の第２の部分３６ｒの電圧レベルが２．５Ｖ未満である（ステップＳ１５３でＮＯの場合。）とき、スイッチＳＷ１はオフされる（ステップＳ１５７）。さらに、ハイレベルの接続状態検出信号Ｓ４０が発生され（ステップＳ１５８）、これに応答してスイッチＳＷ２はオンされ（ステップＳ１５９）、ユティリティライン３４の電圧レベルは５Ｖになる（ステップＳ１６０）。さらに、発光ダイオード４１が点灯し（ステップ１６１）、逆接続検出動作は終了する。
【００４２】
以上説明したように、正常接続状態では、図１に示すように、ローレベルの接続状態検出信号Ｓ４０が発生され、スイッチＳＷ１はオンされ、スイッチＳＷ２はオフされ、発光ダイオード４１は点灯しない。このため、ソース機器１００においてＨＰＤ信号Ｓ２８は検出され、ソース機器１００はシンク機器２００が接続されたと判断し、ＴＭＤＳ信号送信回路１１は、ＴＭＤＳ信号Ｓ１１をＨＤＭＩ光アクティブケーブル３００に出力する。また、電源回路２９は、ユティリティライン３４及びＨＰＤライン３６を介してソース機器１００に直流電力を供給する。さらに、電源回路３９は、光送信回路３７及び光受信回路３８に直流電力を出力する。
【００４３】
一方、逆接続状態では、図２に示すように、ハイレベルの接続状態検出信号Ｓ４０が発生され、スイッチＳＷ１はオフされ、スイッチＳＷ２はオンされ、発光ダイオード４１は点灯する。このため、ソース機器１００においてＨＰＤ信号Ｓ２８は検出されず、ソース機器１００はシンク機器２００が接続されていないと判断し、ＴＭＤＳ信号送信回路１１は、ＴＭＤＳ信号Ｓ１１をＨＤＭＩ光アクティブケーブル３００に出力することを禁止する。また、ＣＥＣ送受信回路１２は電力供給依頼信号Ｓ１２をシンク機器２００に出力しないので、電源回路２９からソース機器１００への電力供給は行われない。さらに、電源回路３９は、光送信回路３７及び光受信回路３８に直流電力を出力することを禁止する。
【００４４】
以上説明したように、本実施形態に係るＨＤＭＩ光アクティブケーブル３００は、ＨＰＤライン３６の第１の部分３６ｔと第２の部分３６ｒとの間に挿入されたスイッチＳＷ１と、ＨＤＭＩ光アクティブケーブル３００がソース機器１００からシンク機器２００に一方向でＴＭＤＳ信号Ｓ１１を伝送可能にソース機器１００とシンク機器２００との間に接続されている正常接続状態の場合、ＨＰＤ信号Ｓ２８に応答してスイッチＳＷ１をオンする一方、ＨＤＭＩ光アクティブケーブル３００が上記一方向とは逆の方向でソース機器１００とシンク機器２００との間に接続されている逆接続状態の場合、スイッチＳＷ１をオフする制御回路とを備える。従って、本実施形態に係るＨＤＭＩ光アクティブケーブル３００によれば、逆接続状態において第１の部分３６ｔと第２の部分３６ｒとの間の接続を遮断し、ソース機器１００とシンク機器２００との間にリンクが確立されて、ＴＭＤＳ信号Ｓ１１がＨＤＭＩ光アクティブケーブル３００に出力されることを防止できる。このため、逆接続によるＨＤＭＩ光アクティブケーブル３００の故障を防止できる。
【００４５】
また、本実施形態に係るＨＤＭＩ光アクティブケーブル３００によれば、＋５Ｖ電力信号Ｓ１８とＨＰＤ信号Ｓ２８とを検出したとき正常接続状態を示す接続状態検出信号Ｓ４０を出力する一方、＋５Ｖ電力信号Ｓ１８を検出しかつＨＰＤ信号Ｓ２８を検出しないときに逆接続状態を示す接続状態検出信号Ｓ４０を出力するアンドゲート４０を備えたので、第１の部分３６ｒの電圧レベルのみによって逆接続状態を検出する場合よりも、確実に逆接続状態を検出できる。すなわち、ＨＰＤライン３６の第１の部分３６ｒの電圧レベルに加えて、＋５Ｖライン３５の電圧レベル（すなわち、＋５Ｖ電力信号Ｓ１８が出力されているか否か）をモニタするので、ＨＤＭＩ光アクティブケーブル３００にソース機器１００が接続されており、かつ逆接続状態であることを検出できる。
【００４６】
さらに、本実施形態に係るＨＤＭＩ光アクティブケーブル３００によれば、接続状態検出信号Ｓ４０に応答してスイッチＳＷ２をオンオフすることにより、接続状態に応じてユティリティライン３４の電圧レベルを変化させる出力回路を備えたので、ソース機器１００及びシンク機器２００において、ユティリティライン３４の電圧レベル基づいて逆接続状態を検出できる。また、ＨＤＭＩ規格で定義されたユティリティライン３４を用いるので、ＨＤＭＩ規格に準拠した従来技術に係るＨＤＭＩ光アクティブケーブルに新たに信号線を追加する必要がない。
【００４７】
またさらに、本実施形態に係るＨＤＭＩ光アクティブケーブル３００によれば、逆接続状態において、電源回路３９は光送信回路３７及び光受信回路３８に電力を供給することを禁止するので、逆接続に伴うソース機器１００と、シンク機器２００と光アクティブケーブル３００との故障の確率を低減できる。
【００４８】
また、本実施形態に係るＨＤＭＩ光アクティブケーブル３００によれば、逆接続状態において発光ダイオード４０を点灯させるので、逆接続状態をユーザに報知できる。
【００４９】
さらに、本実施形態に係るソース機器１００によれば、ユティリティライン３４の電圧レベルを検出し、検出された電圧レベルに基づいて正常接続状態又は逆接続状態を検出できる。従って、ＨＤＭＩ光アクティブケーブル３００が逆接続されているときに、ＴＭＤＳ信号Ｓ１１を出力することを禁止でき、ＨＤＭＩ光アクティブケーブル３００の故障を防止することができる。また、ユティリティライン３４の電圧レベルに基づいて、ＨＤＭＩ光アクティブケーブル３００が逆接続されているか否かを判断し、逆接続状態であることを示す情報を表示部１７に出力して表示するので、逆接続状態をユーザに報知できる。
【００５０】
またさらに、本実施形態に係るシンク機器２００によれば、ユティリティライン３４の電圧レベルを検出し、検出された電圧レベルに基づいて正常接続状態又は逆接続状態を検出できる。また、ユティリティライン３４の電圧レベルに基づいて、ＨＤＭＩ光アクティブケーブル３００が逆接続されているか否かを判断し、逆接続状態であることを示す情報を表示部２７に出力して表示するので、逆接続状態をユーザに報知できる。
【００５１】
また、本実施形態に係るシンク機器２００によれば、電源回路２９を備えたので、ソース機器１００に電力を供給できる。また、電源回路２９は、ユティリティライン３４を用いてソース機器１００に電力を供給するので、ＨＤＭＩ規格に準拠した従来技術に係るＨＤＭＩ光アクティブケーブルに新たに信号線を追加することなく電力を供給できる。さらに、電源回路２９は、ローレベルの電圧検出信号Ｓ２５に基づいて正常接続状態であることを検出した後、ソース機器１００の充電回路１３に５Ｖの直流電力を供給するので、ＨＤＭＩ光アクティブケーブル３００の接続状態の検出動作と、ソース機器１００への電力供給動作とをユティリティライン３４を用いて順次行うことができる。さらに、ユティリティライン３４において、接続状態（接続方向）の検出に用いられ電圧レベルと、電力供給時の電圧レベルが同一の場合においても、接続状態の検出動作と、電力供給動作とを両立できる。
【００５２】
従来技術に係るＨＤＭＩ光アクティブケーブルを、従来技術に係るＨＤＭＩ規格にそれぞれ準拠したソース機器とシンク機器との間に逆方向に接続すると、ユーザは、モニタ装置などのシンク機器に映像が写らないという現象でしか不具合を認識できず、ソース機器、シンク機器あるいはＨＤＭＩ光アクティブケーブルのうちのどこで不具合が生じているのかを特定できない。本実施形態によれば、ユーザは、表示部２７、発光ダイオード４１又は表示部１７の表示により、ＨＤＭＩ光アクティブケーブル３００が逆方向に接続されていることを認識できる。
【００５３】
なお、上記実施形態において、電源回路３９と、アンドゲート４０と、発光ダイオード４１と、抵抗４２と、スイッチＳＷ１及びＳＷ２とをシンク機器用コネクタ３０２に設けたが、本発明はこれに限られず、ソース機器用コネクタ３０１に設けてもよい。
【００５４】
第２の実施形態．
図６は、本発明の第２の実施形態に係る通信システムの構成を示すブロック図であって、ソース機器１００とシンク機器２００との間にＨＤＭＩ光アクティブケーブル３００Ａが逆接続されたときのブロック図である。図６の通信システムは、第１の実施形態に係る通信システムに比較して、ＨＤＭＩ光アクティブケーブル３００に代えてＨＤＭＩ光アクティブケーブル３００Ａを備えた点のみが異なる。以下、第１の実施形態との相違点のみを説明する。
【００５５】
図６において、ＨＤＭＩ光アクティブケーブル３００Ａは、ＨＤＭＩ光アクティブケーブル３００に比較して、シンク機器用コネクタ３０２に代えてシンク機器用コネクタ３０２Ａを備えた点のみが異なる。シンク機器用コネクタ３０２Ａは、シンク機器用コネクタ３０２と比較して、スイッチＳＷ２に代えて、ユティリティライン３４と＋５Ｖライン３５との間に接続されたスイッチＳＷ３を備える。
【００５６】
ここで、スイッチＳＷ３は、正常接続状態を示すローレベルの接続状態検出信号Ｓ４０に応答してオフされる一方、逆接続状態を示すハイレベルの接続状態検出信号Ｓ４０に応答してオンされる。従って、正常接続状態において、スイッチＳＷ３はオフされてユティリティライン３４の電圧レベルは０Ｖになる。一方、逆接続状態において、スイッチＳＷ３はオンされ、ユティリティライン３４の電圧レベルは５Ｖになる。スイッチＳＷ３と、＋５Ｖライン３５とは、接続状態検出信号Ｓ４０に応答して、ユティリティライン３４の電圧レベルを正常接続状態を表す０Ｖ又は逆接続状態を表す５Ｖに変化させる出力回路を構成する。
【００５７】
本実施形態に係るＨＤＭＩ光アクティブケーブル３００Ａは、第１の実施形態に係る光アクティブケーブル３００と同様の効果を奏する。ただし、本実施形態の場合、ユティリティライン３４の電圧レベルに基づいて、ＨＤＭＩ光アクティブケーブル３００Ａにソース機器１００が接続されかつシンク機器２００が接続されていない状態と、逆接続状態とを区別できない。
【００５８】
なお、本実施形態において、電源回路３９と、アンドゲート４０と、発光ダイオード４１と、抵抗４２と、スイッチＳＷ１及びＳＷ２とをシンク機器用コネクタ３０２Ａに設けたが、本発明はこれに限られず、ソース機器用コネクタ３０１に設けてもよい。
【００５９】
第３の実施形態．
図７は、本発明の第３の実施形態に係る通信システムの構成を示すブロック図であって、ソース機器１００とシンク機器２００との間にＨＤＭＩ光アクティブケーブル３００Ｂが逆接続されたときのブロック図である。図７の通信システムは、第１の実施形態に係る通信システムに比較して、ＨＤＭＩ光アクティブケーブル３００に代えてＨＤＭＩ光アクティブケーブル３００Ｂを備えた点のみが異なる。以下、第１の実施形態との相違点のみを説明する。
【００６０】
図７において、ＨＤＭＩ光アクティブケーブル３００Ｂは、ＨＤＭＩ光アクティブケーブル３００に比較して、シンク機器用コネクタ３０２に代えてシンク機器用コネクタ３０２Ｂを備えた点のみが異なる。シンク機器用コネクタ３０２Ｂは、シンク機器用コネクタ３０２に比較して、発光ダイオード４１及び抵抗４２に代えて発光ダイオード４３及び抵抗４４を備えた点のみが異なる。ここで、発光ダイオード４３は、＋５Ｖライン３５に接続されたアノードと、抵抗４４を介してＨＰＤライン３６の第２の部分３６ｒに接続されたカソードとを有する。従って、正常接続状態において、＋５Ｖライン３５の電圧レベルとＨＰＤライン３６の第２の部分３６ｒの電圧レベルとは実質的に等しくなり、発光ダイオード４３は点灯しない。一方、逆接続状態において、＋５Ｖライン３５の電圧レベルは５ＶでありかつＨＰＤライン３６の第２の部分３６ｒの電圧レベルは０Ｖになるので、発光ダイオード４３は点灯する。
【００６１】
本実施形態に係るＨＤＭＩ光アクティブケーブル３００Ｂは、第１の実施形態に係る光アクティブケーブル３００と同様の効果を奏する。ただし、ＨＤＭＩ光アクティブケーブル３００Ｂのケーブル長が所定値より長くなると、ＨＰＤライン３６の導体抵抗により電圧降下が生じ、正常接続状態でもＨＰＤライン３６の第２の部分３６ｒの電圧レベルが５Ｖより小さくなってしまい、発光ダイオード４３が誤って点灯してしまう可能性が生じる。従って、本実施形態に係るＨＤＭＩ光アクティブケーブル３００Ｂは、ソース機器１００とシンク機器２００との間の距離が上述した所定値以下であるときに用いればよい。
【００６２】
なお、本実施形態において、電源回路３９と、アンドゲート４０と、発光ダイオード４３と、抵抗４４と、スイッチＳＷ１及びＳＷ２をシンク機器用コネクタ３０２Ｂに設けたが、本発明はこれに限られず、ソース機器用コネクタ３０１に設けてもよい。
【００６３】
第４の実施形態．
図８は、本発明の第４の実施形態に係る通信システムの構成を示すブロック図であって、ソース機器１００Ａとシンク機器２００Ａとの間にＨＤＭＩ光アクティブケーブル３００が正しく接続されたときのブロック図である。図８において、本実施形態に係る通信システムは、送信装置であるソース機器１００Ａと、受信装置であるシンク機器２００Ａと、ソース機器１００Ａとシンク機器２００Ａとを接続するための通信ケーブルであるＨＤＭＩ光アクティブケーブル３００とを備えて構成される。図８において、ＨＤＭＩ光アクティブケーブル３００は、図１のＨＤＭＩ光アクティブケーブル３００と同様に動作するので、説明を省略する。
【００６４】
図８において、ソース機器１００Ａは例えばブルーレイディスク（Ｂｌｕ−ｒａｙ  Ｄｉｓｃ）レコーダであって、コントローラ１０と、ＴＭＤＳ信号送信回路１１と、ＣＥＣ送受信回路１２Ａと、電圧検出回路１５と、表示制御回路１６と、表示部１７と、＋５Ｖ電力信号出力回路１８と、ＨＰＤ信号検出回路１９と、電源回路５９とを備えて構成される。また、シンク機器２００Ａは例えばテレビジョン放送受信装置であって、コントローラ２０と、ＴＭＤＳ信号受信回路２１と、ＣＥＣ送受信回路２２Ａと、充電回路２３と、二次電池２４と、電圧検出回路２５と、表示制御回路２６と、表示部２７と、抵抗２８とを備えて構成される。
【００６５】
ここで、詳細後述するように、ソース機器１００Ａは、データ信号であるＴＭＤＳ信号Ｓ１１及び第１の接続検出信号である＋５Ｖ電力信号Ｓ１８を出力し、シンク機器２００Ａは、＋５Ｖ電力信号Ｓ１８に応答して第２の接続検出信号であるＨＰＤ信号Ｓ２８を出力する。本実施形態において、ソース機器用コネクタ３０１がソース機器１００Ａに接続されかつシンク機器用コネクタ３０２がシンク機器２００Ａに接続されており、ソース機器１００Ａからシンク機器２００Ａに光ファイバ３１を介して一方向でＴＭＤＳ信号Ｓ１１を伝送する状態を正常接続状態といい、ソース機器用コネクタ３０１がシンク機器２００Ａに接続されかつシンク機器用コネクタ３０２がソース機器１００Ａに接続されている状態を逆接続状態という。
【００６６】
図８のソース機器１００Ａにおいて、コントローラ１０は、ＴＭＤＳ信号送信回路１１と、ＣＥＣ送受信回路１２Ａと、表示制御回路１６と、＋５Ｖ電力信号出力回路１８と、電源回路５９とを制御する。ＴＭＤＳ信号送信回路１１は、図１のＴＭＤＳ信号送信回路１１と同様に動作する。また、ＣＥＣ送受信回路１２Ａは、コントローラ１０の制御の下で、ＣＥＣに準拠した制御信号を、ＣＥＣライン３３を介してソース機器１００Ａとの間で送受信するとともに、シンク機器２００ＡからＣＥＣライン３３を介して詳細後述する電力供給依頼信号Ｓ２２Ａを受信すると、電力供給開始信号Ｓ１２Ａを発生して電源回路５９に出力する。
【００６７】
電圧検出回路１５は、図１の電圧検出回路１５と同様に電圧検出信号Ｓ１５を発生して、コントローラ１０と、表示制御回路１６と、電源回路５９とに出力する。表示制御回路１６と、表示部１７と、＋５Ｖ電力信号出力回路１８と、ＨＰＤ信号検出回路１９とは、それぞれ、図１の表示制御回路１６と、表示部１７と、＋５Ｖ電力信号出力回路１８と、ＨＰＤ信号検出回路１９と同様に動作する。
【００６８】
電源回路５９は、ローレベルの電圧検出信号Ｓ２５に基づいて正常接続状態であることを検出した後、電力供給開始信号Ｓ１２Ａに応答して、ユティリティライン３４及びＨＰＤライン３６を介して、シンク機器２００Ａの充電回路２３への５Ｖの直流電力の供給を開始する。このとき、ユティリティライン３４の電圧は５Ｖに設定される。
【００６９】
図８のシンク機器２００Ａにおいて、コントローラ２０は、ＣＥＣ送受信回路２２Ａと、表示制御回路２６とを制御する。ＴＭＤＳ信号受信回路２１は、図１のＴＭＤＳ信号受信回路２１と同様に動作する。また、ＣＥＣ送受信回路２２Ａは、コントローラ２０の制御の下で、ＣＥＣに準拠した制御信号を、ＣＥＣライン３３を介してシンク機器２００Ａとの間で送受信するとともに、詳細後述する電力供給依頼信号Ｓ２２Ａを発生してＣＥＣライン３３に出力する。充電回路２３は、コントローラ２０の制御の下で、例えばリチウムイオン二次電池である二次電池２４を、ユティリティライン３４及びＨＰＤライン３６を介して供給される電力により、充電する。
【００７０】
電圧検出回路２５は、図１の電圧検出回路２５と同様に電圧検出信号Ｓ２５を発生して、コントローラ２０と、表示制御回路２６とに出力する。また、表示制御回路２６と、表示部２７と、抵抗２８とはそれぞれ、図１の表示制御回路２６と、表示部２７と、抵抗２８と同様に動作する。
【００７１】
図９Ａ及び図９Ｂは、図８のソース機器１００Ａによる接続状態検出動作を示すフローチャートである。図９Ａ及び図９Ｂの接続状態検出動作は、図３Ａ及び図３Ｂの接続状態検出動作に比較して、ステップＳ１０６〜Ｓ１０８をステップＳ１６１〜Ｓ１６４に置き換え、ステップＳ１１０をステップＳ１６５に置き換えたものである。以下、図３Ａ及び図３Ｂの接続状態検出動作との相違点のみを説明する。
【００７２】
図９Ｂにおいて、ステップＳ１０５に続いて、ステップＳ１６１において、コントローラ１０は、ローレベルの電圧検出信号Ｓ１５に応答して、ＣＥＣ送受信回路１２Ａを、電力供給依頼信号Ｓ２２Ａの受信待機状態にする。この時点において、電源回路５９は、シンク機器２００Ａへの電力供給を開始していない。次に、ステップＳ１６２において、ＣＥＣ送受信回路１２Ａは、ＣＥＣライン３３を介して電力供給依頼信号Ｓ２２Ａを受信したか否かを判断し、ＹＥＳのときはステップＳ１６３に進む一方、ＮＯのときはステップＳ１０９に進む。ステップＳ１６３において、ＣＥＣ送受信回路１２Ａは、電力供給開始信号Ｓ１２Ａを電源回路５９に出力する。
【００７３】
さらに、ステップＳ１６４において、電源回路５９は、ローレベルの電圧検出信号Ｓ１５に基づいて正常接続状態であることを検出した後、電力供給開始信号Ｓ１２Ａに応答して、ユティリティライン３４及びＨＰＤライン３６を介して、シンク機器２００Ａの充電回路２３に５Ｖの直流電力を供給し、ステップＳ１０９に進む。なお、ステップＳ１６４において、ユティリティライン３４の電圧レベルが２．５Ｖ以上になるため、逆接続状態を示すハイレベルの電圧検出信号Ｓ１５が発生される。このため、コントローラ１０は、電力供給依頼信号Ｓ２２Ａを受信した後は、表示制御回路１６を、電圧検出信号Ｓ１５に基づく接続状態の表示を禁止するように制御する。
【００７４】
ステップＳ１０９において、コントローラ１０は、ＴＭＤＳ信号送信回路１１を、ＴＭＤＳ信号Ｓ１１を光送信回路３７に出力するように制御して、ステップＳ１６５に進む。なお、ステップＳ１０９におけるＴＭＤＳ信号Ｓ１１の出力処理は、従来技術に係るＨＤＭＩ規格に準拠した出力処理である。ステップＳ１０９に続いて、ステップＳ１６５において、コントローラ１０は、ソース機器１００Ａがリセットされたか否かを判断し、ＹＥＳのときは図９ＡのステップＳ１０１に戻る一方、ＮＯのときはステップＳ１６５の処理を繰り返して実行する。
【００７５】
図１０Ａ及び図１０Ｂは、図８のシンク機器２００Ａによる接続状態検出動作を示すフローチャートである。図１０Ａ及び図１０Ｂの接続状態検出動作は、図４Ａ及び図４Ｂの接続状態検出動作に比較して、ステップＳ１３６〜Ｓ１３９をステップＳ１７１〜Ｓ１７３に置き換え、ステップＳ１４１をステップＳ１７４に置き換えたものである。以下、図４Ａ及び図４Ｂの接続状態検出動作との相違点のみを説明する。
【００７６】
図１０Ｂにおいて、ステップＳ１３５に続いて、ステップＳ１７１において、コントローラ２０は、正常接続状態を示す電圧検出信号Ｓ２５に応答して、ＣＥＣ送受信回路２２Ａを、ソース機器１００Ａに対して電力供給を依頼するための電力供給依頼信号Ｓ２２ＡをＣＥＣライン３３に出力するように制御する。
【００７７】
ステップＳ１７１に続いて、ステップＳ１７２において、コントローラ２０は、電圧検出信号Ｓ２５の電圧レベルがハイレベルであるか否かを判断することにより、ユティリティライン３４の電圧レベルが２．５Ｖ以上であるか否かを判断する。そして、ステップＳ１７２においてＹＥＳのときは、ステップＳ１７３において、コントローラ２０は、充電回路２３を、二次電池２４を充電するように制御してステップＳ１４０に進む。これに応答して、充電回路２３は、ユティリティライン３４及びＨＰＤライン３６からの５Ｖの直流電力により二次電池２４を充電する。なお、二次電池２４の充電時はユティリティライン３４の電圧レベルが２．５Ｖ以上になるため、逆接続状態を示すハイレベルの電圧検出信号Ｓ２５が発生される。このため、コントローラ２０は、電力供給依頼信号Ｓ２２Ａが出力された後は、表示制御回路２６を、電圧検出信号Ｓ２５に基づく接続状態の表示を禁止するように制御する。
【００７８】
一方、ステップＳ１７２においてＮＯのときは、ソース機器１００Ａ又はＨＤＭＩ光アクティブケーブル３００において、シンク機器２００Ａに対する電力供給機能が正常に動作していないと考えられ、ステップＳ１７３の処理を実行することなくステップＳ１４０に進む。
【００７９】
ステップＳ１４０において、ＴＭＤＳ信号受信回路２１は、光受信回路３８からＴＭＤＳ信号Ｓ３８を受信し、コントローラ２０に出力する。なお、ステップＳ１４０におけるＴＭＤＳ信号Ｓ３８の受信処理は、従来技術に係るＨＤＭＩ規格に準拠した受信処理である。次に、ステップＳ１７４において、コントローラ２０は、シンク機器２００Ａがリセットされたか否かを判断し、ＹＥＳのときは図１０ＡのステップＳ１３１に戻る一方、ＮＯのときはステップＳ１７４の処理を繰り返して実行する。
【００８０】
本実施形態に係るソース機器１００Ａによれば、ユティリティライン３４の電圧レベルを検出し、検出された電圧レベルに基づいて正常接続状態又は逆接続状態を検出できる。従って、ＨＤＭＩ光アクティブケーブル３００が逆接続されているときに、ＴＭＤＳ信号Ｓ１１を出力することを禁止でき、ＨＤＭＩ光アクティブケーブル３００の故障を防止することができる。また、ユティリティライン３４の電圧レベルに基づいて、ＨＤＭＩ光アクティブケーブル３００が逆接続されているか否かを判断し、逆接続状態であることを示す情報を表示部１７に出力して表示するので、逆接続状態をユーザに報知できる。
【００８１】
また、本実施形態に係るソース機器１００Ａによれば、電源回路５９を備えたので、シンク機器２００Ａに電力を供給できる。また、電源回路５９は、ユティリティライン３４を用いてシンク機器２００Ａに電力を供給するので、ＨＤＭＩ規格に準拠した従来技術に係るＨＤＭＩ光アクティブケーブルに新たに信号線を追加することなく電力を供給できる。さらに、電源回路５９は、ローレベルの電圧検出信号Ｓ１５に基づいて正常接続状態であることを検出した後、シンク機器２００Ａの充電回路２３に５Ｖの直流電力を供給するので、ＨＤＭＩ光アクティブケーブル３００の接続状態の検出動作と、シンク機器２００Ａへの電力供給動作とをユティリティライン３４を用いて順次行うことができる。さらに、ユティリティライン３４において、接続状態（接続方向）の検出に用いられる電圧レベルと、電力供給時の電圧レベルが同一の場合においても、接続状態の検出動作と、電力供給動作とを両立できる。
【００８２】
さらに、本実施形態に係るシンク機器２００Ａによれば、ユティリティライン３４の電圧レベルを検出し、検出された電圧レベルに基づいて正常接続状態又は逆接続状態を検出できるので、ＨＤＭＩ光アクティブケーブル３００が逆接続されているか否かを判断できる。また、ユティリティライン３４の電圧レベルに基づいて、ＨＤＭＩ光アクティブケーブル３００が逆接続されているか否かを判断し、逆接続状態であることを示す情報を表示部２７に出力して表示するので、逆接続状態をユーザに報知できる。
【００８３】
本実施形態によれば、ユーザは、表示部２７、発光ダイオード４１又は表示部１７の表示により、ＨＤＭＩ光アクティブケーブル３００が逆方向に接続されていることを認識できる。
【００８４】
なお、本実施形態において、ＨＤＭＩ光アクティブケーブル３００に代えて、ＨＤＭＩ光アクティブケーブル３００Ａ又は３００Ｂを用いてもよい。
【００８５】
なお、上記各実施形態において、表示制御回路１６は、正常接続状態を示すローレベルの電圧検出信号Ｓ１５と、ソース機器１００がＨＰＤ信号Ｓ２８を検出したことを示すＨＰＤ信号検出信号Ｓ１９とに応答して、正常接続状態を示す情報を表示部１７に出力して表示したが、本発明はこれに限られない。表示制御回路１６は、正常接続状態を示すローレベルの電圧検出信号Ｓ１５のみに基づいて、正常接続状態を示す情報を表示部１７に出力して表示してもよい。また、表示制御回路１６は、正常接続状態において正常接続状態を示す情報を表示部１７に出力して表示したが、本発明はこれに限られず、正常接続状態において表示部１７に何も表示しなくてもよい。
【００８６】
また、上記各実施形態において、表示制御回路２６は、正常接続状態を示すローレベルの電圧検出信号Ｓ２５に応答して、正常接続状態を示す情報を表示部２７に出力して表示したが、本発明はこれに限られない。表示制御回路２６は、正常接続状態を示すローレベルの電圧検出信号Ｓ２５に応答して、表示部２７に何も表示しなくてもよい。
【００８７】
さらに、上記各実施形態において、ユティリティライン３４の電圧レベルに基づいてＨＤＭＩ光アクティブケーブル３００，３００Ａ又は３００Ｂの接続状態を判断したが、本発明はこれに限られない。ユティリティライン３４に代えて、他の信号ラインを利用してもよい。この場合、スイッチＳＷ２は、ＨＰＤライン３６の第１の部分３６ｔと、上述した他の信号ラインとの間に接続される。
【００８８】
またさらに、上記各実施形態において、ユティリティライン３４及びＨＰＤライン３６を用いて５Ｖの直流電力を供給したが、本発明はこれに限られず、ＨＤＭＩ光アクティブケーブル３００，３００Ａ又は３００Ｂの他の信号線を、電力供給ラインとして用いてもよい。また、供給される電力電圧は５Ｖに限られない。
【００８９】
また、上記各実施形態において、発光ダイオード４１又は４３を点灯することにより逆接続状態を報知したが、本発明はこれに限られず、ＨＰＤライン３６の第１の部分３６ｔと第２の部分３６ｒとの間の電圧レベル差、＋５Ｖライン３５とＨＰＤライン３６の第２の部分の電圧レベル差、又は接続状態検出信号Ｓ４０に基づいて、例えばブザーによる警告音などの他の報知手段を用いて逆接続状態を報知してもよい。
【００９０】
さらに、上記各実施形態において、表示部２７及び１７を用いて逆接続状態を報知したが、本発明はこれに限られず、ソース機器１００，１００Ａ及びシンク機器２００，２００Ａにおいて、例えばブザーによる警告音などの他の報知手段を用いて逆接続状態を報知してもよい。
【００９１】
またさらに、上記各実施形態において、ソース機器１００，１００Ａと、シンク機器２００，２００Ａと、ＨＤＭＩ光アクティブケーブル３００，３００Ａ，３００Ｂにおいて、逆接続状態を報知したが、本発明はこれに限られず、通信システムを構成するソース機器と、シンク機器と、ＨＤＭＩ光アクティブケーブルとのうちの少なくとも１つにおいて、逆接続状態を報知すればよい。
【００９２】
またさらに、上記各実施形態において、ソース機器１００，１００Ａは、シンク機器２００，２００Ａに、ＨＤＭＩ規格に準拠したＴＭＤＳ信号Ｓ１１を送信したが、本発明はこれに限られず、ＴＭＤＳ信号Ｓ１１以外の所定のデータ信号を送信してもよい。
【００９３】
さらに、上記各実施形態において、ソース機器１００とシンク機器２００又はソース機器１００Ａとシンク機器２００Ａとを例に挙げて、本発明に係る送信装置及び受信装置を説明したが、本発明はこれに限られない。本発明は、所定のデータ信号と所定の第１の接続検出信号とを出力する送信装置と、第１の接続検出信号に応答して所定の第２の接続検出信号を出力する受信装置とに適用できる。
【００９４】
またさらに、上記各実施形態において、ＨＤＭＩ光アクティブケーブル３００，３００Ａ及び３００Ｂを例に挙げて本発明に係る通信ケーブルを説明したが、本発明はこれに限られない。本発明は、送信装置から受信装置に所定の一方向でデータ信号を伝送する第１の通信線と、送信装置から受信装置に第１の接続検出信号を伝送する第２の通信線と、第１の接続検出信号に応答して受信装置から出力される第２の接続検出信号を、送信装置に伝送する第３の通信線とを備えた通信ケーブルに適用できる。例えば、本発明に係る通信ケーブルは、送信装置からのデータ信号に所定の処理を行って第１の通信線に出力する送信回路と、第１の通信線を介して伝送されたデータ信号に増幅処理などの所定の処理を行って受信装置に出力する受信回路とを備えた通信ケーブルに利用できる。
【００９５】
また、本発明は、所定のデータ信号と所定の第１の接続検出信号とを出力する送信装置と、第１の接続検出信号に応答して所定の第２の接続検出信号を出力する受信装置と、送信装置から受信装置に所定の一方向で第１の通信線を介してデータ信号を伝送する通信ケーブルとを備えた通信システムに適用できる。具体的には、上記各実施形態において、本発明をＨＤＭＩ規格に準拠した通信システムを例に挙げて説明したが、本発明は、例えば、ＤＶＩ（Digital Visual Interface）規格、ディスプレイポート（DisplayPort）規格及びＵＳＢ（Universal Serial Bus）規格などの規格に準拠した通信システムに適用できる。
【００９６】
以上説明したように、第１の態様に係る通信ケーブルは、
送信装置から受信装置に所定の一方向で第１の通信線を介してデータ信号を伝送する通信ケーブルにおいて、
送信装置から受信装置に第１の接続検出信号を伝送する第２の通信線と、
第１の接続検出信号に応答して受信装置から出力される第２の接続検出信号を、送信装置に伝送する第３の通信線と、
第３の通信線に挿入されたスイッチと、
通信ケーブルが送信装置から受信装置に一方向でデータ信号を伝送可能に送信装置と受信装置との間に接続されている正常接続状態の場合、第２の接続検出信号に応答してスイッチをオンする一方、通信ケーブルが一方向とは逆の方向で送信装置と受信装置との間に接続されている逆接続状態の場合、スイッチをオフする制御回路とを備えたことを特徴とする。
【００９７】
従って、逆接続状態において第３の通信線は遮断されるので、逆接続状態において通信ケーブルの故障を防止できる。
【００９８】
第２の態様に係る通信ケーブルは、第１の態様に係る通信ケーブルにおいて、第１の接続検出信号と第２の接続検出信号とを検出したとき正常接続状態を示す接続状態検出信号を出力する一方、第１の接続検出信号を検出しかつ第２の接続検出信号を検出しないときに逆接続状態を示す接続状態検出信号を出力するゲート回路をさらに備えたことを特徴とする。
【００９９】
従って、接続状態検出信号が出力されるので、例えば、送信装置及び受信装置は、当該接続状態検出信号に基づいて、通信ケーブルが逆接続されていることを検出できる。
【０１００】
第３の態様に係る通信ケーブルは、第２の態様に係る通信ケーブルにおいて、
送信装置と受信装置とに間に接続される第４の通信線と、
正常接続状態を表す接続状態検出信号に応答して所定の第１の電圧レベルを第４の通信線に出力する一方、逆接続状態を表す接続状態検出信号に応答して所定の第２の電圧レベルを第４の通信線に出力する出力回路とをさらに備えたことを特徴とする。
【０１０１】
従って、送信装置及び受信装置において、第４の通信線の電圧レベルに基づいて逆接続状態を検出できる。
【０１０２】
第４の態様に係る通信ケーブルは、第２又は第３の態様に係る通信ケーブルにおいて、正常接続状態を示す接続状態検出信号に応答して通信ケーブルの通信回路に電力を供給する一方、逆接続状態を示す接続状態検出信号に応答して通信ケーブルに電力を供給することを禁止する第１の電源回路をさらに備えたことを特徴とする。
【０１０３】
従って、逆接続に伴う送信装置、受信装置及び通信ケーブルの故障の確率を低減できる。
【０１０４】
第５の態様に係る通信ケーブルは、第１から第４までのうちのいずれか１つの態様に係る通信ケーブルにおいて、逆接続状態を報知する報知手段をさらに備えたことを特徴とする。
【０１０５】
従って、逆接続状態をユーザに報知できる。
【０１０６】
第６の態様に係る通信ケーブルは、第１から第５までのうちのいずれか１つの態様に係る通信ケーブルにおいて、第４の通信線は、ＨＤＭＩ規格に準拠した通信ケーブルのユティリティラインであることを特徴とする。
【０１０７】
従って、ＨＤＭＩ規格に準拠した従来技術に係るＨＤＭＩ光アクティブケーブルに新たに信号線を追加する必要がない。
【０１０８】
第７の態様に係る送信装置は、
送信装置と、受信装置と、通信ケーブルとを備えた通信システムのための送信装置において、
通信ケーブルは、
送信装置から受信装置に、データ信号を所定の一方向で伝送する第１の通信線と、
送信装置から受信装置に第１の接続検出信号を伝送する第２の通信線と、
第１の接続検出信号に応答して受信装置から出力される第２の接続検出信号を、送信装置に伝送する第３の通信線と、
送信装置と受信装置とに間に接続される第４の通信線と、
第３の通信線に挿入されたスイッチと、
通信ケーブルが送信装置から受信装置に一方向でデータ信号を伝送可能に送信装置と受信装置との間に接続されている正常接続状態の場合、第２の接続検出信号に応答してスイッチをオンする一方、通信ケーブルが一方向とは逆の方向で送信装置と受信装置との間に接続されている逆接続状態の場合、スイッチをオフする制御回路と、
第１の接続検出信号と第２の接続検出信号とを検出したとき正常接続状態を示す接続状態検出信号を出力する一方、第１の接続検出信号を検出しかつ第２の接続検出信号を検出しないときに逆接続状態を示す接続状態検出信号を出力するゲート回路と、
正常接続状態を表す接続状態検出信号に応答して所定の第１の電圧レベルを第４の通信線に出力する一方、逆接続状態を表す接続状態検出信号に応答して所定の第２の電圧レベルを第４の通信線に出力する出力回路とを備え、
送信装置は、第４の通信線の電圧レベルを検出し、検出された電圧レベルに基づいて正常接続状態又は逆接続状態を検出することを特徴とする。
【０１０９】
従って、逆接続状態を検出できるので、逆接続状態において通信ケーブルの故障を防止できる。
【０１１０】
第８の態様に係る送信装置は、第７の態様に係る送信装置において、逆接続状態を報知する第２の報知手段をさらに備えたことを特徴とする。
【０１１１】
従って、逆接続状態をユーザに報知できる。
【０１１２】
第９の態様に係る送信装置は、第７又は第８の態様に係る送信装置において、
通信ケーブルは電力供給ラインを含み、
送信装置は、電力供給ラインを介して受信装置に電力を供給する第２の電源回路をさらに備えたことを特徴とする。
【０１１３】
従って、通信ケーブルを介して受信装置に電力を供給できる。
【０１１４】
第１０の態様に係る送信装置は、第９の態様に係る送信装置において、正常接続状態を検出した後、第２の電源回路による受信装置への電力供給を開始することを特徴とする。
【０１１５】
従って、受信装置の故障を防止できる。
【０１１６】
第１１の態様に係る送信装置は、第９又は第１０の態様に係る送信装置において、電力供給ラインは、ＨＤＭＩ規格に準拠した通信ケーブルのユティリティラインを含むことを特徴とする。
【０１１７】
従って、ＨＤＭＩ規格に準拠した従来技術に係るＨＤＭＩ光アクティブケーブルに新たに信号線を追加することなく、受信装置に電力を供給できる。
【０１１８】
第１２の態様に係る受信装置は、
送信装置と、受信装置と、通信ケーブルとを備えた通信システムのための受信装置において、
通信ケーブルは、
送信装置から受信装置に、データ信号を所定の一方向で伝送する第１の通信線と、
送信装置から受信装置に第１の接続検出信号を伝送する第２の通信線と、
第１の接続検出信号に応答して受信装置から出力される第２の接続検出信号を、送信装置に伝送する第３の通信線と、
送信装置と受信装置とに間に接続される第４の通信線と、
第３の通信線に挿入されたスイッチと、
通信ケーブルが送信装置から受信装置に一方向でデータ信号を伝送可能に送信装置と受信装置との間に接続されている正常接続状態の場合、第２の接続検出信号に応答してスイッチをオンする一方、通信ケーブルが一方向とは逆の方向で送信装置と受信装置との間に接続されている逆接続状態の場合、スイッチをオフする制御回路と、
第１の接続検出信号と第２の接続検出信号とを検出したとき正常接続状態を示す接続状態検出信号を出力する一方、第１の接続検出信号を検出しかつ第２の接続検出信号を検出しないときに逆接続状態を示す接続状態検出信号を出力するゲート回路と、
正常接続状態を表す接続状態検出信号に応答して所定の第１の電圧レベルを第４の通信線に出力する一方、逆接続状態を表す接続状態検出信号に応答して所定の第２の電圧レベルを第４の通信線に出力する出力回路とを備え、
受信装置は、第４の通信線の電圧レベルを検出し、検出された電圧レベルに基づいて正常接続状態又は逆接続状態を検出することを特徴とする。
【０１１９】
従って、逆接続状態を検出できるので、逆接続状態において通信ケーブルの故障を防止できる。
【０１２０】
第１３の態様に係る受信装置は、第１２の態様に係る受信装置において、逆接続状態を報知する第３の報知手段をさらに備えたことを特徴とする。
【０１２１】
従って、逆接続状態をユーザに報知できる。
【０１２２】
第１４の態様に係る受信装置は、第１２又は第１３の態様に係る受信装置において、
通信ケーブルは電力供給ラインを含み、
受信装置は、電力供給ラインを介して送信装置に電力を供給する第３の電源回路をさらに備えたことを特徴とする。
【０１２３】
従って、通信ケーブルを介して送信装置に電力を供給できる。
【０１２４】
第１５の態様に係る受信装置は、第１４の態様に係る受信装置において、正常接続状態を検出した後、第３の電源回路による送信装置への電力供給を開始することを特徴とする。
【０１２５】
従って、送信装置の故障を防止できる。
【０１２６】
第１６の態様に係る受信装置は、第１４又は第１５の態様に係る受信装置において、電力供給ラインは、ＨＤＭＩ規格に準拠した通信ケーブルのユティリティラインを含むことを特徴とする。
【０１２７】
従って、ＨＤＭＩ規格に準拠した従来技術に係るＨＤＭＩ光アクティブケーブルに新たに信号線を追加することなく、送信装置に電力を供給できる。
【０１２８】
第１７の態様に係る通信システムは、
データ信号と第１の接続検出信号とを出力する送信装置と、
第１の接続検出信号に応答して第２の接続検出信号を出力する受信装置と、
第１から第６の態様に係る通信ケーブルのうちのいずれか１つの通信ケーブルとを備えたことを特徴とする。
【０１２９】
従って、逆接続状態において通信ケーブルの故障を防止できる。
【０１３０】
第１８の態様に係る通信システムは、
第９又は第１０の態様に係る送信装置と、
第１２又は第１３の態様に係る受信装置と、
第３から第６までの態様に係る通信ケーブルのいずれか１つの通信ケーブルとを備えたことを特徴とする。
【０１３１】
従って、逆接続状態において通信ケーブルの故障を防止できる。
【０１３２】
第１９の態様に係る通信システムは、
第７又は第８の態様に係る送信装置と、
第１４又は第１５の態様に係る受信装置と、
第３から第６までの態様に係る通信ケーブルのいずれか１つの通信ケーブルとを備えたことを特徴とする。
【０１３３】
従って、逆接続状態において通信ケーブルの故障を防止できる。
【０１３４】
第２０の態様に係る通信システムは、第１８又は第１９の態様に係る通信システムにおいて、第４の通信線はＨＤＭＩ規格に準拠した通信ケーブルのユティリティラインであることを特徴とする。
【０１３５】
従って、ＨＤＭＩ規格に準拠した従来技術に係るＨＤＭＩ光アクティブケーブルに新たに信号線を追加する必要がない。
【０１３６】
第２１の態様に係る通信システムは、第２０の態様に係る通信システムにおいて、電力供給ラインは、ユティリティラインを含むことを特徴とする。
【０１３７】
従って、ＨＤＭＩ規格に準拠した従来技術に係るＨＤＭＩ光アクティブケーブルに新たに信号線を追加することなく、電力供給を行える。
【産業上の利用可能性】
【０１３８】
以上説明したように、本発明に係る通信ケーブルによれば、第３の通信線に挿入されたスイッチと、通信ケーブルが送信装置から受信装置に一方向でデータ信号を伝送可能に送信装置と受信装置との間に接続されている正常接続状態の場合、第２の接続検出信号に応答してスイッチをオンする一方、通信ケーブルが一方向とは逆の方向で送信装置と受信装置との間に接続されている逆接続状態の場合、スイッチをオフする制御回路とを備えたので、逆接続状態において通信ケーブルの故障を防止できる。
【０１３９】
また、本発明に係る送信装置、受信装置及び通信システムによれば、第４の通信線の電圧レベルを検出し、検出された電圧レベルに基づいて正常接続状態又は逆接続状態を検出するので、逆接続状態において通信ケーブルの故障を防止できる。
【符号の説明】
【０１４０】
１０…コントローラ、
１１…ＴＭＤＳ信号送信回路、
１２，１２Ａ…ＣＥＣ送受信回路、
１３…充電回路、
１４…二次電池、
１５…電圧検出回路、
１６…表示制御回路、
１７…表示部、
１８…＋５Ｖ電力信号出力回路、
１９…ＨＰＤ信号検出回路、
２０…コントローラ、
２１…ＴＭＤＳ信号受信回路、
２２，２２Ａ…ＣＥＣ送受信回路、
２３…充電回路、
２４…二次電池、
２５…電圧検出回路、
２６…表示制御回路、
２７…表示部、
２８…抵抗、
２９…電源回路、
３１…光ファイバ、
３２…電力供給ライン、
３３…ＣＥＣライン、
３４…ユティリティライン、
３５…＋５Ｖライン、
３６…ＨＰＤライン、
３７…光送信回路、
３８…光受信回路、
３９…電源回路、
４０…アンドゲート、
４１，４３…発光ダイオード、
４２，４４…抵抗、
５９…電源回路、
１００，１００Ａ…ソース機器、
２００，２００Ａ…シンク機器、
３００，３００Ａ，３００Ｂ…ＨＤＭＩ光アクティブケーブル、
３０１…ソース機器用コネクタ、
３０２，３０２Ａ，３０２Ｂ…シンク機器用コネクタ、
ＳＷ１，ＳＷ２，ＳＷ３…スイッチ。
【図１】
0005571243.tif 000002
【図２】
0005571243.tif 000003
【図３Ａ】
0005571243.tif 000004
【図３Ｂ】
0005571243.tif 000005
【図４Ａ】
0005571243.tif 000006
【図４Ｂ】
0005571243.tif 000007
【図５】
0005571243.tif 000008
【図６】
0005571243.tif 000009
【図７】
0005571243.tif 000010
【図８】
0005571243.tif 000011
【図９Ａ】
0005571243.tif 000012
【図９Ｂ】
0005571243.tif 000013
【図１０Ａ】
0005571243.tif 000014
【図１０Ｂ】
0005571243.tif 000015